(57)【特許請求の範囲】
【請求項１】
ワイヤソーを用いて電柱を切断する方法において、電柱に対して垂直方向に張り出させたガイド部材を締結部材で固定し、ガイド部材に沿って移動する駆動プーリに掛けたワイヤソーを電柱の外周に巻き掛けた状態にして、駆動プーリを回転させながら電柱から離れた方向に移動させることによって電柱を切断すると共に、ワイヤソーの走行方向を正逆両方向に交互に切り替えることによってワイヤソーが損傷するような折れ曲がりを生じさせないようにしたことを特徴とする電柱切断方法。
【請求項２】
ワイヤソーの走行方向を、設定時間により正逆の走行方向が切り替え可能なことを特徴とする請求項1に記載の電柱切断方法。
【発明の詳細な説明】
【技術分野】
【０００１】
本発明は、ワイヤソーを用いた電柱切断方法に関し、特にコンクリート電柱等の高配筋コンクリート中空構造物を切断する際に生じ易いワイヤソー損傷の対策を目的とする電柱切断方法に関する。
【背景技術】
【０００２】
コンクリート電柱等の高配筋コンクリートの中空構造物を切断する場合、図３に示すように、矢印で示すワイヤソー２の走行方向に対し進入側Ｃ１よりも出口側Ｃ２が先に切断され易く、切断面内でワイヤソー２が折れ曲がる状態となり、ワイヤソー２の損傷を招きやすくなる。
【０００３】
また、従来の技術として特許文献１を参照すると、この文献に記載の切断方法及び切断装置は、一対のガイドプーリの位置を移動することで切断対象物との接触角度を種々に変化させ、切断対象物に対して小さい接触面積で切断することにより、ワイヤソーが損傷しないようにしている。
【先行技術文献】
【特許文献】
【０００４】
【特許文献１】特開２００９−１０１５４２
【発明の概要】
【発明が解決しようとする課題】
【０００５】
上記の文献に記載された技術は、左右の走行レールに沿って移動する一対のガイドプーリを設け、ワイヤソーが折れ曲がる状態を回避することによってワイヤソーの損傷を防止するようにしているが、左右の走行レール等を設置するのに必要な余地を確保する等の理由で、装置の適用環境が制限されるという欠点があった。
【０００６】
本発明は、上記のような事情に鑑みてなされたものであり、ワイヤソーを用いた電柱切断方法に関し、特にコンクリート電柱等の高配筋コンクリート中空構造物を切断する際に、切断面内でワイヤソーの折れ曲がりを防止することによってワイヤソーが損傷しないようにした電柱切断方法を提供することを目的とする。
【課題を解決するための手段】
【０００７】
上記の目的を達成するために、本発明の電柱切断方法は、ワイヤソーを用いて電柱を切断する方法において、電柱に対して垂直方向に張り出させたガイド部材を締結部材で固定し、ガイド部材に沿って移動する駆動プーリに掛けたワイヤソーを電柱の外周に巻き掛けた状態にして、駆動プーリを回転させながら電柱から離れた方向に移動させることによって電柱を切断すると共に、ワイヤソーの走行方向を正逆両方向に交互に切り替えることによってワイヤソーが損傷するような折れ曲がりを生じさせないようにしたことを特徴とする。
【発明の効果】
【０００８】
上記の本発明によれば、電柱等の切断面でワイヤソーが折れ曲がる前に走行方向を切り替えることを繰り返すことによって、ワイヤソーが損傷に至るような折れ曲がりを生じさせずに、切断を完了することが可能となる。従って、ワイヤソーの折れ曲がりを防止するためのガイドプーリ等を必要とせず、電柱切断装置の小型化及び簡易化が可能となり、現場での適用範囲を拡大することが可能となる。
【図面の簡単な説明】
【０００９】
【図１】本発明の実施例における引き切り切断工法に係る電柱切断装置であり、（ａ）は平面図、(ｂ)は側面図である。
【図２】本発明の実施例における引き切り切断工法に係る電柱切断装置の斜視図である。
【図３】本発明の実施例に係る引き切り切断工法によって電柱を切断している状況を示す断面図である。
【図４】（ａ）〜(ｃ)は、本発明の実施例における引き切り切断工法の一実施形態によって電柱を切断している状況を示す断面図である。
【図５】（ａ）〜(ｃ)は、本発明の実施例における引き切り切断工法の他の実施形態によって電柱を切断している状況を示す断面図である。
【図６】（ａ）〜(ｃ)は、本発明の実施例における引き切り切断工法の他の実施形態によって電柱を切断している状況を示す断面図である。
【発明を実施するための形態】
【００１０】
本発明の実施例について図面を参照しながら説明する。
【実施例】
【００１１】
本発明の電柱切断方法に係る実施形態の一例を図１（ａ）、(ｂ)に示す。この図に示す切断装置１は、引き切り切断工法に係るものであり、駆動プーリ３に掛けたワイヤソー２を電柱Ｄの外周に巻き掛けた状態にして、駆動プーリ３を回転させながら電柱Ｄから離れる方向に移動させることによって電柱Ｄを切断するようにしている。
【００１２】
上記の図１（ａ）、(ｂ)に示す切断装置の具体的な実施形態を図2の斜視図に示すと、電柱Ｄに対して垂直方向に張り出させたガイド部材６をチェーン等の締結部材５で固定し、ガイド部材６に沿って設けた案内ギヤ７に歯合して移動する駆動ギヤ（不図示）を内蔵したギヤボックスを設ける。このギヤボックスの駆動ギヤ（不図示）はアクチュエータによって駆動されると共に、駆動プーリ３はモータ４で回転駆動することが可能である。
【００１３】
上記の電柱切断装置を用いた切断方法において、駆動プーリ３の回転方向が一定の場合、ワイヤソー２の走行方向も一方向となり、図３に示すように、電柱Ｄの切断面内におけるワイヤソー２の進入側Ｃ１よりも出口側Ｃ２が先に切断され、電柱Ｄの切断面内でワイヤソー２が大きな角度で折れ曲がる状態となる。
【００１４】
そこで、上記の電柱切断装置において、本発明の電柱切断方法である、ワイヤソー２の走行方向を正逆両方向に交互に切り替えるため、駆動プーリ３の回転方向を切り替えることが可能なモータ４を使用し、ワイヤソー２の折れ曲がり状態を確認しながら回転方向の逆転を繰り返すようにする。ワイヤソー２の走行方向を切り替えることにより、ワイヤソー２を損傷させるような折れ曲がりを生じさせずに電柱Ｄの切断を完了することが可能となる。
【００１５】
ワイヤソー２の走行方向の切り替えについては、切り替え時間を設定することでワイヤソー２の走行方向を正逆両方向に交互に切り替えることが可能となる。
【００１６】
なお、切り替え時間については、コンクリート柱等の径や配筋量などの条件によって目安となる時間が設定されており、切断対象のコンクリート柱に合わせて適当な設定時間でワイヤソー２の走行方向の正逆を切り替えることが可能である。
【００１７】
また、走行方向の切り替え操作を、ワイヤソーの折れ曲がりセンサー（不図示）を設けたり、駆動プーリ間の左右におけるワイヤソーの張力差を計測するセンサー（不図示）を設けて自動化しても良く、また、目視で折れ曲がり状態を確認しながら手動で切り替え操作を行っても良い。
【００１８】
なお、図４（ａ）は、本実施例に係る引き切り工法の一実施形態であり、上記の図１又は図２に示す電柱切断装置のように、駆動プーリ３に掛けたワイヤソー２を電柱Ｄの遠方側の外周に巻き掛けた状態にする。そして、駆動プーリ３を電柱Ｄから遠ざかる方向へ移動すると、図４(ｂ)に示すように、電柱Ｄの切断面内におけるワイヤソー２の進入側Ｃ１よりも出口側Ｃ２が先に切断され、電柱Ｄの切断面内でワイヤソー２が大きく折れ曲がる状態となる。
【００１９】
そこで、ワイヤソー２の走行方向を反対方向へ交互に切り替えることによって、図４（c）に示すように、ワイヤソー２を損傷するような折れ曲がりをなくし、このようなワイヤソー２の走行方向の切り替えを繰り返すことによって電柱Ｄの切断を完了することが可能となる。
【００２０】
また、図５（ａ）は、本実施例に係る引き切り工法の他の実施形態であり、電柱Ｄの両側に固定プーリ９、９を設け、駆動プーリ３に掛けたワイヤソー２を両側のプーリ９、９に掛けると共に電柱Ｄの遠方側の外周に巻き掛けた状態にし、駆動プーリ３を電柱Ｄから遠ざかる方向へ移動する。
【００２１】
この場合もまた、図５(ｂ)に示すように、電柱Ｄの切断面内におけるワイヤソー２の進入側Ｃ１よりも出口側Ｃ２が先に切断され、電柱Ｄの切断面内でワイヤソー２が大きく折れ曲がる状態となる。そこで、ワイヤソー２の走行方向を反対方向へ交互に切り替えることによって、図５(ｃ)に示すように、ワイヤソー２を損傷するような折れ曲がりを生じさせずに電柱Ｄの切断を完了することが可能である。
【００２２】
さらに、図６（ａ）は、本実施例に係る引き切り工法の他の実施形態であり、電柱Ｄの両側にプーリ９、９を設け、駆動プーリ３に掛けたワイヤソー２を両側のプーリ９、９に掛けると共に、電柱Ｄの手前側の外周に巻き掛けた状態にして、駆動プーリ３を電柱Ｄから遠ざかる方向へ移動する。
【００２３】
この場合もまた、図６(ｂ)に示すように、電柱Ｄの切断面内におけるワイヤソー２の進入側Ｃ１よりも出口側Ｃ２が先に切断され、電柱Ｄの切断面内でワイヤソー２が大きく折れ曲がる状態となる。そこで、ワイヤソー２の走行方向を反対方向へ交互に切り替えることによって、図６(ｃ)に示すように、ワイヤソー２を損傷するような折れ曲がりを生じさせずに電柱Ｄの切断を完了することが可能となる。
【産業上の利用可能性】
【００２４】
本発明の電柱切断方法は、ワイヤソーを用いた電柱切断方法に関し、特にコンクリート電柱等の高配筋コンクリート中空構造物を切断する際に、切断面内でワイヤソーの折れ曲がりを防止することによってワイヤソーが損傷しないようにした電柱切断方法として利用可能である。
【符号の説明】
【００２５】
１  電柱
２  ワイヤソー
３  駆動プーリ
４  モータ
５  締結部材
６  ガイド部材
７  案内ギヤ
９  固定プーリ
Ｄ  電柱
【要約】
【課題】
ワイヤソーを用いた電柱切断方法に関し、特にコンクリート電柱等の高配筋コンクリート中空構造物を切断する際に、切断面内でワイヤソーの折れ曲がりを防止することによってワイヤソーが損傷しないようにした電柱切断方法を提供する。
【解決手段】
ワイヤソーの走行方向を正逆両方向に交互に切り替えることによって、ワイヤソーが損傷するような折れ曲がりを生じさせないようにしたことにより、ワイヤソーの折れ曲がりを防止することによってワイヤソーが損傷しないようにした。
【選択図】図１【図１】
0005614664.tif 000002
【図２】
0005614664.tif 000003
【図３】
0005614664.tif 000004
【図４】
0005614664.tif 000005
【図５】
0005614664.tif 000006
【図６】
0005614664.tif 000007